(57)【要約】      （修正有）【課題】ワイヤー巻き取り式の締め付け構造を採用しながら、従来の紐結び式ブーツの追従性を確保することができ、ワイヤーが切断した場合の対応が容易に行うことができるブーツを提供する。【解決手段】ワイヤー案内部材４には、ワイヤー５とともに足部１及び脛部２を締め付けるための紐体を挿通させることができる挿通スペースが確保されており、その挿通スペースにおいて、ワイヤー５が接触する部分には、凸状の湾曲面を形成する肉盛部が設けられている。【選択図】図１
0003106747.tif 000002
【実用新案登録請求の範囲】
【請求項１】
前後方向に延びる上面開口部（１１）が形成される足部（１）と、
該足部（１）の上方に延びる筒状体であって、前記上面開口部（１１）に連続するとともに上下方向に延びる前面開口部（２１）が形成される脛部（２）と、
前記上面開口部（１１）の前端側（１１ａ）から延びて、前記上面開口部（１１）及び前記前面開口部（２１）を覆う舌状部材（３）と、
前記上面開口部（１１）及び前記前面開口部（２１）の左右両側に対向するように設けられる複数のワイヤー案内部材（４）と、
前記上面開口部（１１）及び前記前面開口部（２１）の左側及び右側に設けられる前記ワイヤー案内部材（４）に対して交互に挿通されることにより、前記舌状部材（３）を覆いながら、前記足部（１）及び前記脛部（２）を締め付けるワイヤー（５）と、
該ワイヤー（５）を両端から巻き取ることによる前記ワイヤー（５）の締め付け、及びワイヤー（５）の締め付け解除をすることができるワイヤー締め付け機構（６）と、
を備えてなるブーツであって、
前記ワイヤー案内部材（４）には、前記ワイヤー（５）とともに前記足部（１）及び前記脛部（２）を締め付けるための紐体を挿通させることができる挿通スペースが確保されていることを特徴とするブーツ。
【請求項２】
前記ワイヤー締め付け機構（６）は、前記脛部（２）の側面部に設けられていることを特徴とする請求項１に記載のブーツ。
【請求項３】
前記ワイヤー案内部材（４）は、細長状の樹脂プレート（４１）を、その長手方向の端部（４１ａ）が重なり合うように畳んで、重ね合わせた端部（４１ａ）どうしを縫い合わせることにより形成され、その縫い合わされた端部（４１ａ）が、前記足部（１）又は前記脛部（２）に縫い付けられていることを特徴とする請求項１又は２に記載のブーツ。
【請求項４】
前記ワイヤー案内部材（４）は、前記樹脂プレート（４１）の内周面（４１ｂ）のワイヤー（５）が接触する部分（４１ｃ）に、凸状に湾曲面を形成する肉盛部（４１ｅ）が設けられていることを特徴とする請求項３に記載のブーツ。
【請求項５】
前記ワイヤー案内部材（４）は、細長状の布材（４２）が、前記樹脂プレート（４１）の外周面（４１ｄ）を覆うように設けられており、その長手方向の端部（４２ａ）が、前記樹脂プレート（４１）の端部（４１ａ）どうしの縫い合わせ部分に縫い合わされていることを特徴とする請求項３又は４に記載のブーツ。
【考案の詳細な説明】
【技術分野】
【０００１】
本考案は、足部と、その上方に延びる筒状体の脛部からなるブーツであって、足部及び脛部を締め付けるためのワイヤー締め付け機構を備えるブーツに関する。
【背景技術】
【０００２】
従来、スノーボードに使用されるブーツとして、図３に示されるようなブーツが採用されている。このブーツは、主として、前後方向に延びる上面開口部１１が形成される足部１と、足部１の上方に延びる筒状体であって、上面開口部１１に連続するとともに上下方向に延びる前面開口部２１が形成される脛部２、及び、上面開口部１１の前端側１１ａから延びて、上面開口部１１及び前記前面開口部２１を塞ぐように覆う舌状部材３からなる。上面開口部１１及び前面開口部２１の左右両側には、左右で相互に対向するように、複数のワイヤー案内部材７が縫い付けられており、このワイヤー案内部材７にワイヤー８が挿通されるようになっている。
【０００３】
ワイヤー８は、上面開口部１１の前端側１１ａ近傍に設けられる最前列のワイヤー案内部材７から、順次、後方に設けられるワイヤー案内部材７へ左右交互に挿通させられ、上面開口部１１及び前面開口部２１で交差するとともに舌状部材３を外側から覆う。上記のようにワイヤー案内部材７に挿通されたワイヤー８は、舌状部材３の上部に設けられるワイヤー締め付け機構９により、その締め付け作業が補助されるようになっている。
【０００４】
ワイヤー締め付け機構９には、ワイヤー８の両端が固定されるダイヤル部９１が設けられており、これを手で摘んで回転させることにより、ワイヤー８をダイヤル９１の周囲に巻き付けて足部１や脛部２を締め付けることができる。また、ダイヤル９１には、ラチェット機構が内蔵されており、巻き付けられたワイヤー８が緩まないように維持することができる。なお、ダイヤル９１をその回転軸方向に引くことにより、ラチェット機構によるロックが解除されて、ワイヤー８を緩めることができるようになっている。
【０００５】
なお、ワイヤー８は、ダイヤル９１に巻き取られる際の嵩が大きくなり過ぎないように、金属により細く形成されている。そのため、ワイヤー８は、ワイヤー案内部材７を磨耗させたり、ワイヤー案内部材７で鋭角的に折り曲げられて、そこで引っ掛かりが生じたり、容易に疲労損傷したりする可能性がある。そこで、上記スノーブーツでは、図４に示されるように、ワイヤー案内部材７を樹脂で成形して容易に磨耗することがないようにする一方、ワイヤー８が挿通される挿通穴７１の経路をＵ字状に形成して、ワイヤー８が折り曲げられることを防止している。
【０００６】
上記のようなワイヤー締め付け機構９を備えるブーツによれば、足部１及び脛部２の締め付け作業をする際に、ダイヤル９１を回すだけで、ワイヤー８をユーザー好みの締め付け具合となるように設定することができ、また、締め付けの解除も容易に行うことができるものである。従来の紐結び式のブーツの場合、女性ユーザー等では、紐を手繰り寄せるための力が不足し易いことから、締め付け具合が不十分となることがあったが、ラチェット機構が内蔵されるワイヤー締め付け機構９によれば、そのような不都合を生じることがない。また、締め付け具合を確かめながら、ダイヤル９１を徐々に回していけば、好みに応じた設定を容易にすることができ、紐結び式のように紐を結び直したりする必要がないものである。
【考案の開示】
【考案が解決しようとする課題】
【０００７】
ところで、スノーボードでは、使用者が、足と脛の角度を様々に変化させてバランスを取りながら滑降するため、ブーツは単に締め付けるだけではなく、使用者の足と脛の動きに対して、ある程度柔軟に追従できる性能が必要である。しかしながら、上記ブーツのワイヤー８は、金属製でほとんど伸びがないために、通常の紐を使用するブーツと比べた場合に、ユーザーが追従性の面で不満を感じることがあった。
【０００８】
また、切断等の事情によりワイヤー８を交換する場合、これを固定されるダイヤル部９１から脱着したり、経路がＵ字状に形成された細い挿通穴７１に挿通させたりする比較的面倒な作業が必要となる。そのため、例えば、ゲレンデでのプレイ中にワイヤーが切れてしまった場合、現場での交換修理ができずにプレイを取り止めたり、あるいは、交換修理のために長時間に亘ってプレイを中断することになったりする不都合があった。
【０００９】
本考案は、斯かる実情に鑑み、ワイヤー巻き取り式の締め付け構造を採用しながら、従来の紐結び式ブーツの追従性を確保することができ、ワイヤーが切断した場合の対応が容易に行うことができるブーツを提供しようとするものである。
【課題を解決するための手段】
【００１０】
請求項１の発明は、前後方向に延びる上面開口部（１１）が形成される足部（１）と、該足部（１）の上方に延びる筒状体であって、前記上面開口部（１１）に連続するとともに上下方向に延びる前面開口部（２１）が形成される脛部（２）と、前記上面開口部（１１）の前端側（１１ａ）から延びて、前記上面開口部（１１）及び前記前面開口部（２１）を覆う舌状部材（３）と、前記上面開口部（１１）及び前記前面開口部（２１）の左右両側に対向するように設けられる複数のワイヤー案内部材（４）と、前記上面開口部（１１）及び前記前面開口部（２１）の左側及び右側に設けられる前記ワイヤー案内部材（４）に対して交互に挿通されることにより、前記舌状部材（３）を覆いながら、前記足部（１）及び前記脛部（２）を締め付けるワイヤー（５）と、該ワイヤー（５）を両端から巻き取ることによる前記ワイヤー（５）の締め付け、及びワイヤー（５）の締め付け解除をすることができるワイヤー締め付け機構（６）と、を備えてなるブーツであって、前記ワイヤー案内部材（４）には、前記ワイヤー（５）とともに前記足部（１）及び前記脛部（２）を締め付けるための紐体を挿通させることができる挿通スペースが確保されていることを特徴とするブーツを提供する。
【００１１】
請求項２の発明は、前記ワイヤー締め付け機構（６）は、前記脛部（２）の側面部に設けられていることを特徴とする請求項１に記載のブーツを提供する。
【００１２】
請求項３の発明は、前記ワイヤー案内部材（４）は、細長状の樹脂プレート（４１）を、その長手方向の端部（４１ａ）が重なり合うように畳んで、重ね合わせた端部（４１ａ）どうしを縫い合わせることにより形成され、その縫い合わされた端部（４１ａ）が、前記足部（１）又は前記脛部（２）に縫い付けられていることを特徴とする請求項１又は２に記載のブーツを提供する。
【００１３】
請求項４の発明は、前記ワイヤー案内部材（４）は、前記樹脂プレート（４１）の内周面（４１ｂ）のワイヤー（５）が接触する部分（４１ｃ）に、凸状に湾曲面を形成する肉盛部（４１ｅ）が設けられていることを特徴とする請求項３に記載のブーツを提供する。
【００１４】
請求項５の発明は、前記ワイヤー案内部材（４）は、細長状の布材（４２）が、前記樹脂プレート（４１）の外周面（４１ｄ）を覆うように設けられており、その長手方向の端部（４２ａ）が、前記樹脂プレート（４１）の端部（４１ａ）どうしの縫い合わせ部分に縫い合わされていることを特徴とする請求項３又は４に記載のブーツを提供する。
【考案の効果】
【００１５】
本考案の請求項１〜５に記載のブーツによれば、ワイヤー案内部材（４）に、ワイヤー（５）とともに足部（１）及び脛部（２）を締め付けるための紐体を挿通させることができる挿通スペースが確保されているので、ワイヤー案内部材（４）に、ワイヤー（５）とは別に紐体を挿通しておくことができる。そして、ワイヤー締め付け機構（６）を操作して、ユーザー好みの締め付け具合に設定し、その状態で紐体を手繰り寄せて結んでおき、その後でワイヤー締め付け機構（６）による締め付けを解除すれば、力の弱いユーザーでも、ブーツの締め付け具合の設定を容易に行うことができ、しかも紐体の伸びにより、足と脛の角度変更に対する追従性を得ることができるものである。また、プレイ中にワイヤー（５）を切断するような事態が生じても、そのときは紐体のみで締め付けるようにすれば良く、プレイを中断してワイヤーの交換修理をしたり、プレイすることを取り止めたりしなくて済むものである。
【００１６】
本考案の請求項２に記載のブーツによれば、ワイヤー締め付け機構（６）が脛部（２）の側面部に設けられているので、手が届き易く、非常に操作し易いものである。また、紐結びをする際の邪魔になることが無く、また、紐結びをした後にワイヤーの締め付けを解除する際の邪魔になることも無いものである。
【００１７】
本考案の請求項３に記載のブーツによれば、は、細長状の樹脂プレート（４１）の長手方向の端部（４１ａ）どうしを縫い合わせただけの簡単な構造であるから、容易に製作することができるものである。
【００１８】
本考案の請求項４に記載のブーツによれば、樹脂プレート（４１）の内周面（４１ｂ）において、挿通されるワイヤー（５）の接触する部分（４１ｃ）が、凸状に湾曲するように肉盛りされているので、ワイヤー（５）が折れ曲がったりする心配が無いものである。
【００１９】
本考案の請求項５に記載のブーツによれば、細長状の布材（４２）が、樹脂プレート（４１）の外周面（４１ｄ）を覆うように設けられており、樹脂プレート（４１）に加わる力を分担して受けるため、樹脂プレート（４１）の厚みを薄くすることができ、これによって、ワイヤー案内部材（４）がブーツの外形に沿うようになるので、ユーザーの足や脛へのフィット感をより高めることができるものである。
【考案を実施するための最良の形態】
【００２０】
以下、本考案の実施形態を、添付図面を参照しながら説明する。図１は、本考案の実施形態となるブーツを示した図であって、（ａ）は、側面図、（ｂ）は、背面図を示す。図２は、図１のブーツに使用されるワイヤー案内部材４について説明する図であって、（ａ）は、ワイヤー案内部材４の構成部材である樹脂プレート４１の側面図、（ｂ）は、（ａ）のＡ−Ａ断面図、（ｃ）は、ワイヤー案内部材４の側面図、（ｄ）は、（ｃ）のＢ−Ｂ断面図を示す。なお、上記従来のブーツ（図３）と共通する部分については、同じ符号を付し、詳細な説明を省略する。
【００２１】
図１に示されるブーツは、上面開口部１１が形成される足部１と、足部１の上方に延設され、前面開口部２１が形成される脛部２、及び、上面開口部１１の前端側１１ａから延びる舌状部材３を備えてなり、上面開口部１１及び前面開口部２１の左右両側には、左右で相互に対向するように、片側４個、両側で計８個のワイヤー案内部材４が縫い付けられており、このワイヤー案内部材４にワイヤー５が挿通される。ワイヤー５は、金属製の細線材を撚り合わせて形成したものであって、後述するワイヤー締め付け機構６に巻き取られたときに、嵩が大きくならないように細めに形成されている。
【００２２】
ワイヤー５は、上面開口部１１の前端側１１ａ近傍に設けられる最前列のワイヤー案内部材４から、順次、後方に設けられるワイヤー案内部材４へ左右交互に挿通させられる。これにより、ワイヤー５は、上面開口部１１及び前面開口部２１で交差するとともに舌状部材３を外側から覆うことになる。ワイヤー５は、最後尾のワイヤー案内部材４に挿通させられた後、前面開口部２１でもう一度交差させられ、さらに脛部２の周りを一周させられて、その両端が脛部２の側面部に設けられるワイヤー締め付け機構６に連結されており、ワイヤー締め付け機構６を操作することにより、足部１及び脛部２を締め付けることができるようになっている。なお、ワイヤー５は、脛部２に巻きつけられる部分が、図１（ｂ）に示されるように、脛部２の表皮で覆われている。
【００２３】
ワイヤー締め付け機構６には、ワイヤー５の両端が連結固定されるダイヤル部６１が設けられており、このダイヤル部６１を手で摘んで回転させることにより、ワイヤー５をダイヤル６１の周囲に巻き取ることができるようになっている。ダイヤル６１は、ワイヤー５を巻き取る方向への回転は許容する一方、巻き取り方向と反対方向への回転はロックするラチェット機構が内蔵しており、巻き取られたワイヤー５が不用意に緩んだりしない構造となっている。なお、ダイヤル６１をその回転軸方向に引くことにより、ラチェット機構によるロックが解除されて、ワイヤー５を緩めることができるようになっている。
【００２４】
ところで、ワイヤー５は、ワイヤー締め付け機構６による締め付けを繰り返し行うことにより、ワイヤー案内部材４を磨耗させてしまったり、ワイヤー案内部材４により折り曲げられて、そこで引っ掛かりが生じたり、容易に疲労損傷したりする可能性がある。そのため、ワイヤー案内部材４は、ワイヤー５との擦れによって容易に磨耗することがないように、また、ワイヤー５に折り曲げ癖を付けたりすることが無いよう、図２に示されるように構成されている。
【００２５】
ワイヤー案内部材４は、細長状の樹脂プレート４１、及び細長状の布材４２を重ねておき、図２（ｃ）に示されるように、それらの長手方向の端部４１ａ，４２ａどうしが重なり合うように、かつ、布材４２が樹脂プレート４１の外周面４１ｄを覆うような状態に畳んで、重ね合わせた端部どうし４１ａ，４２ａを縫い合わせることにより形成される。この縫い合わせ部分が、足部１や脛部２に縫い付けられることとなるものであるが、端部どうしの縫い合わせは、ワイヤー案内部材４を足部１や脛部２に縫い付ける際に合わせて行うようにしても良い。また、樹脂プレート４１と布材４２をまとめ易くするため、これらを縫い合わせる前に相互に接着しておくようしても良い。
【００２６】
ワイヤー案内部材４の内側に設けられる細長状の樹脂プレート４１は、柔軟に撓むようにナイロン樹脂等で薄手に形成されるが、その長手方向の中央部であって、端部４１ａどうしを縫い合せられた状態における内周面４１ｂ側、すなわち、左右のワイヤー案内部材４に交互に挿通されるワイヤー５が接触させられる部分４１ｃは、図２（ｂ）に示されるように、凸状の湾曲面を形成する肉盛部４１ｅが設けられている。そのため、樹脂プレート４１は、図２（ａ）に示されるように、縫い合わされる前からＵ字状に湾曲させられたような形状となっている。
【００２７】
ワイヤー案内部材４が上記のように形成される結果、これにワイヤー５を挿通させると、図２（ｄ）に示されるように、ワイヤー５が肉盛り部により形成される凸状の湾曲部に沿わされることとなり、ワイヤー５に折り曲げ癖がついたりすることを防止できるものである。ワイヤー案内部材４は、上記従来のワイヤー案内部材７と異なり、挿通スペースを大きく確保することにより、ワイヤー５とともに通常の紐体Ｌを挿通させておくことができるものである。
【００２８】
本考案の燃焼用ボックス及び調理用テーブルは、上記した実施の形態に限定されるものではなく、本考案の要旨を逸脱しない範囲内において種々変更を加え得ることは勿論である。
【図面の簡単な説明】
【００２９】
【図１】本考案の実施形態に係るブーツを示す図。
【図２】本考案の実施形態に係るブーツに使用されるケーブル案内部材を説明する図。
【図３】従来のブーツを示す図。
【図４】従来のブーツに使用されるケーブル案内部材を示す図。
【符号の説明】
【００３０】
１    足部
２    脛部
３    舌状部材
４    ワイヤー案内部材
５    ワイヤー
６    ワイヤー締め付け機構
１１    上面開口部
２１    前面開口部
４１    樹脂プレート
４１ａ    端部
４１ｂ    内周面
４１ｃ    部分
４１ｄ    外周面
４２    布材
Ｌ    紐体
【図１】
0003106747.tif 000003
【図２】
0003106747.tif 000004
【図３】
0003106747.tif 000005
【図４】
0003106747.tif 000006